(57)【要約】【課題】吸込風量が減っても帯電微粒子水の拡散能力が低下しない電気掃除機の提供。【解決手段】電動送風機６を収納する電動送風機室５と、電動送風機６の排気風を放出する排気口５３と、帯電微粒子水を発生させる静電霧化装置４１を収納する静電霧化装置収納室４０と、電動送風機室５と静電霧化装置収納室４０とを連通する連通路５０と、排気口５３の開度を変えるスライド板５３ａを備えたもので、吸引抵抗が大きくなり排気風量が少なくなった場合に、スライド板５３ａで排気口５３の開口面積を小さくして排気抵抗を大きくすることで、静電霧化装置収納室４０へ流れる排気風を多くし、帯電微粒子水放出口３７から吹き出す風量を多くすることができるので、帯電微粒子水の拡散能力を向上させると共に、静電霧化装置４１の電極部周辺のオゾン濃度が極小的に高くなるのを防止し、使用者への不快感を防止することができる。【選択図】図２
2012249988.tif 000002
【特許請求の範囲】
【請求項１】
吸引風を発生する電動送風機と、前記電動送風機が収納されている電動送風機室と、前記電動送風機の排気風を放出する排気口と、帯電微粒子水を発生させる静電霧化装置と、前記静電霧化装置を収納する静電霧化装置収納室と、前記電動送風機室と前記静電霧化装置収納室とを連通するとともに前記電動送風機の排気風の一部を前記静電霧化装置収納室内に流入させる連通路と、前記排気口に備えられ前記排気口の開度を変えるスライド板を備えたことを特徴とした電気掃除機。
【請求項２】
電動送風機の吸込み風量を検知する風量検知手段を備え、その風量に応じて排気口の開口面積をスライド板により変えるスライド板開閉制御部を備えたことを特徴とする請求項１に記載の電気掃除機。
【請求項３】
スライド板開閉制御部は、風量検知手段が、風量が多いと判断した場合はスライド板を開き、風量が少ないと判断した場合は前記スライド板を閉じる方向に調整する請求項２に記載の電気掃除機。
【請求項４】
静電霧化装置収納室と連通する吸気口を備え、前記静電霧化装置収納室内に導入される電動送風機の排気の一部がベンチュリー効果により、前記吸気口より外気を吸気し、排気の一部と混合され帯電微粒子水を放出口より放出する請求項１〜３のいずれか１項に記載の電気掃除機。
【請求項５】
吸引風量の設定を変えることができる手元操作部を備え、前記手元操作部の設定に応じてスライド板の開度を変える請求項１〜４のいずれか１項に記載の電気掃除機。
【請求項６】
塵埃を吸引する吸込み具と、前記吸込み具に回転自在に配され塵埃を掻き上げる回転ブラシと、前記回転ブラシを回転駆動する電動機と、前記電動機を駆動したときに流れる電流に応じて床面の状態を判断する床面検知手段を備え、前記床面の状態により排気口の開度を変える請求項１〜５のいずれか１項に記載の電気掃除機。
【請求項７】
連通路に流れる風量がある一定値以下であれば、静電霧化装置による帯電微粒子水の発生を抑制するようにしたことを特徴とする請求項１〜６のいずれか１項に記載の電気掃除機。
【発明の詳細な説明】
【技術分野】
【０００１】
本発明は、電気掃除機に関するもので、特に、帯電微粒子水を発生する静電霧化装置を備えた電気掃除機に関するものである。
【背景技術】
【０００２】
従来のこの種の電気掃除機においては、電動送風機の排気経路にイオン発生器を配置させる構成が提案されている（例えば、特許文献１参照）。
【０００３】
図１１は、上記特許文献１に記載された従来の電気掃除機の掃除機本体の断面図である。図１１に示すように、従来の電気掃除機の掃除機本体１０１は、電動送風機１０２を内蔵する電動送風機室１０３と、電動送風機室１０３の前方に配置され塵埃を捕集する集塵袋１０４を内蔵する集塵室１０５とを有し、掃除機本体１０１の後方の上部にはイオン発生器１１０が配置されており、イオン発生器１１０で発生させた大量のイオンを、電動送風機１０２の排気の一部を利用して大気に放出させて、浮遊する塵埃を広範囲に帯電させた後、このイオンで帯電された塵埃を集塵袋１０４で捕集させる構成が提案されている。
【０００４】
また近年は、被付着物に付着し当該被付着物の脱臭及び除菌を行う脱臭及び除菌作用を有するナノメータサイズのマイナスイオンミスト（帯電微粒子水）を生成させる静電霧化装置が知られている（例えば、特許文献２参照）。
【０００５】
図１２は、上記特許文献２に記載された従来の静電霧化装置の断面図である。すなわち図１２に示すように、静電霧化装置２００は、放電極２０１と、放電極２０１に対向して位置する対向電極２０２と、放電極２０１に空気中の水分を結露又は氷結させて水を供給する水供給手段２０３とを備えており、水供給手段２０３は、冷却部２０４と放熱部２０５とを有するペルチェユニット２０６の冷却部２０４に放電極２０１を設けて構成されており、放電極２０１と対向電極２０２との間に高電圧を印加することで、放電極２０１に保持された水を霧化させ、ナノメータサイズのマイナスイオンミスト（帯電微粒子水）を生成する構成が提案されている。
【０００６】
上述の特許文献１に記載された従来の電気掃除機においては、イオン発生器１１０によって発生されたイオンを電動送風機１０２の排気の一部を利用して部屋中に放出させ、室内で対流させることにより空気中に浮遊している塵埃を帯電させ捕集する構成であるため、イオンにより帯電した空気中の塵埃が被清掃面に落下するまでには時間を必要としていた。また、上述の特許文献１に記載の従来の電気掃除機においては、空中に浮遊しているウィルス、雑菌、及びカビ菌などを十分に脱臭及び除菌することができず、十分な空気清浄効果が得られない場合があった。
【０００７】
そのため、空気中の塵埃を、被清掃面により早く落下させるとともに、空中に浮遊しているウィルス、雑菌、及びカビ菌などを十分に脱臭及び除菌し、空気清浄効果を向上させるべく、上述の特許文献１に記載された従来の電気掃除機に、上述の特許文献２に記載された静電霧化装置を組み合わせた構成を有する電気掃除機が提案されている（例えば、特許文献３参照）。
【０００８】
そして、室内に浮遊する微細な塵埃に対して、マイナスイオンミスト（帯電微粒子水）の質量を付加することにより、微細な塵埃や花粉等の床面への落下をより早くし、掃除中の吸込み具で吸い取ることで、捕集率を向上させている。
【先行技術文献】
【特許文献】
【０００９】
【特許文献１】特開２００８−２１２３８９号公報
【特許文献２】特開２００６−６８７１１号公報
【特許文献３】特開２００９−２５４７８６号公報
【発明の概要】
【発明が解決しようとする課題】
【００１０】
しかしながら、前記特許文献３に記載されたような従来の電気掃除機の構成では、電動送風機の排気の一部によってマイナスイオンミスト（帯電微粒子水）を空気中に放出させているため、例えば、弱運転や吸込抵抗が大きくなって排気風量が低下すると、静電霧化装置２００に供給される風量も少なくなる。
【００１１】
そして、静電霧化装置２００に供給される排気風の風量が少なくなると、イオンやマイナスイオンミスト（帯電微粒子水）の拡散能力が低下し、脱臭・除菌作用や浮遊塵埃の沈降効果が低減する。
【００１２】
また、静電霧化装置２００の電極部周辺のオゾン濃度が極小的に高くなり、樹脂の劣化を加速させる場合があった。さらに、風量が少なくオゾン濃度が高い状態のまま空気中へ放出されると、使用者の呼吸器系統、眼、粘膜等へ刺激を与える場合があり、使用者に不快感を与えるという課題があった。
【００１３】
本発明は、上記従来技術の有する課題に鑑みてなされたものであり、排気風量の少ない場合においても、帯電微粒子水の質量を室内の浮遊塵埃に付加して床面への落下をより早くし、掃除中の吸込み具から吸い取る捕集率を向上させ、マイナスイオンミスト（帯電微粒子水）が付着した塵埃の脱臭、除菌に効果を果たし、空気清浄効果を良好にするとともに、使用者に不快感を与えることを防止することができる電気掃除機を提供することを目的とする。
【課題を解決するための手段】
【００１４】
前記従来の課題を解決するために、本発明の電気掃除機は、吸引風を発生する電動送風機と、前記電動送風機が収納されている電動送風機室と、前記電動送風機の排気風を放出する排気口と、帯電微粒子水を発生させる静電霧化装置と、前記静電霧化装置を収納する静電霧化装置収納室と、前記電動送風機室と前記静電霧化装置収納室とを連通するとともに前記電動送風機の排気風の一部を前記静電霧化装置収納室内に流入させる連通路と、前記排気口に備えられ前記排気口の開度を変えるスライド板を備えたもので、吸引抵抗が大きくなり排気風量が少なくなった場合においても、排気口の開口面積を小さくすることにより排気抵抗が大きくなり、連通路を通じて静電霧化装置収納室へ流れる排気風を多くすることができ、帯電微粒子水放出口から吹き出す風量を多くすることができるので、マイナスイオンミスト（帯電微粒子水）の拡散能力を向上させることができる。
【００１５】
また、同時に風量が低下することにより静電霧化装置の電極部周辺のオゾン濃度が極小的に高くなることを防止し、樹脂の劣化を抑制することができ、さらにオゾン濃度が高いことによる使用者への不快感を防止することができる。
【発明の効果】
【００１６】
本発明の電気掃除機は、吸引抵抗が大きくなり吸引風量が減少し排気風量が少なくなった場合においても、静電霧化装置で発生した帯電微粒子水を放出する風量を上げることができ、従来に比べマイナスイオンミスト（帯電微粒子水）の拡散能力の向上を図ることができ、浮遊塵埃の床面への落下をより早くし、掃除中の吸込み具から吸い取る塵埃の捕集
率を向上させることができ、またマイナスイオンミスト（帯電微粒子水）の付着した塵埃の脱臭、除菌に効果を果たし、空気清浄効果を良好にするとともに、使用者に不快感を与えることを防止することができる。
【図面の簡単な説明】
【００１７】
【図１】本発明の実施の形態１における電気掃除機の斜視概観図
【図２】同電気掃除機の掃除機本体の断面図
【図３】同電気掃除機の静電霧化装置の断面図
【図４】同電気掃除機の制御ブロック図
【図５】同電気掃除機の風量推定の相関図
【図６】同電気掃除機の吸込−排気風量の相関図
【図７】同電気掃除機の吸込み風量とスライド板開度の相関図
【図８】同電気掃除機の手元操作部の設定とスライド板開度の相関図
【図９】同電気掃除機の床面検知の状態とスライド板開度の相関図
【図１０】本発明の実施の形態２における電気掃除機の掃除機本体の断面図
【図１１】従来の電気掃除機の掃除機本体の断面図
【図１２】従来の静電霧化装置の断面図
【発明を実施するための形態】
【００１８】
第１の発明は、吸引風を発生する電動送風機と、前記電動送風機が収納されている電動送風機室と、前記電動送風機の排気風を放出する排気口と、帯電微粒子水を発生させる静電霧化装置と、前記静電霧化装置を収納する静電霧化装置収納室と、前記電動送風機室と前記静電霧化装置収納室とを連通するとともに前記電動送風機の排気風の一部を前記静電霧化装置収納室内に流入させる連通路と、前記排気口に備えられ前記排気口の開度を変えるスライド板を備えたもので、吸引抵抗が大きくなり排気風量が少なくなった場合においても、排気口の開口面積を小さくすることにより排気抵抗が大きくなり、連通路を通じて静電霧化装置収納室へ流れる排気風を多くすることができ、帯電微粒子水放出口から吹き出す風量を多くすることができるので、マイナスイオンミスト（帯電微粒子水）の拡散能力を向上させることができる。
【００１９】
また、同時に風量が低下することにより静電霧化装置の電極部周辺のオゾン濃度が極小的に高くなることを防止し、樹脂の劣化を抑制することができ、さらにオゾン濃度が高いことによる使用者への不快感を防止することができる。
【００２０】
第２の発明は、特に、第１の発明の電動送風機の吸込み風量を検知する風量検知手段を備え、その風量に応じて排気口の開口面積をスライド板により変えるスライド板開閉制御部を備えたもので、静電霧化装置収納室に流入する風量に応じて、最適な放出口の開度を設定することができる。
【００２１】
第３の発明は、特に、第２の発明のスライド板開閉制御部は、風量検知手段が、風量が多いと判断した場合はスライド板を開き、風量が少ないと判断した場合は前記スライド板を閉じる方向に調整するもので、風量が少ない場合においても放出口から吹き出す風量を多くすることができるので帯電微粒子水の拡散能力を最適に設定することができる。
【００２２】
第４の発明は、特に、第１〜３のいずれか１つの発明の静電霧化装置収納室と連通する吸気口を備え、前記静電霧化装置収納室内に導入される電動送風機の排気の一部がベンチュリー効果により、前記吸気口より外気を吸気し、排気の一部と混合され帯電微粒子水を放出口より放出するもので、吸込み負荷が大きく電動送風機の排気量が少なくなり、排気温度が高温となりマイナスイオンミスト（帯電微粒子水）が生成されにくくなっても、外気を導入することにより静電霧化装置収納室内の温度を下げて、マイナスイオンミスト（
帯電微粒子水）を確実に発生させることができる。
【００２３】
第５の発明は、特に、第１〜４のいずれか１つの発明の吸引風量の設定を変えることができる手元操作部を備え、前記手元操作部の設定に応じてスライド板の開度を変えるもので、「強」、「中」、「弱」など手元操作部の設定により吸引力が変わるものにおいて、吸引力が変わることにより排気風量も変化するので、手元操作部の設定に応じて適正に排気口のスライド板の開度を変えることができる。
【００２４】
第６の発明は、特に、第１〜５のいずれか１つの発明の塵埃を吸引する吸込み具と、前記吸込み具に回転自在に配され塵埃を掻き上げる回転ブラシと、前記回転ブラシを回転駆動する電動機と、前記電動機を駆動したときに流れる電流に応じて床面の状態を判断する床面検知手段を備え、前記床面の状態により排気口の開度を変えるもので、回転ブラシに流れる電流により吸込み抵抗を推定できることから、吸込み風量を推定できるので、静電霧化装置収納室に流入する排気風量を推定でき最適なスライド板の開度を設定することができる。
【００２５】
第７の発明は、特に、第１〜６のいずれか１つの発明の連通路に流れる風量がある一定値以下であれば、静電霧化装置による帯電微粒子水の発生を抑制するようにしたもので、吸込み具の吸込み口が塞がれた場合など極端に風量が低下した場合、静電霧化装置の帯電微粒子水の発生を控えるものであり、付随して発生するオゾンの発生を抑制することができ、オゾン濃度の上昇を抑制し使用者への不快感を防止することができる。
【００２６】
以下、本発明の実施の形態について、図面を参照しながら説明する。なお、この実施の形態によって本発明が限定されるものではない。
【００２７】
（実施の形態１）
図１は、本発明の実施の形態１における電気掃除機の斜視概観図、図２は、同電気掃除機の掃除機本体の断面図、図３は、同電気掃除機の静電霧化装置の断面図、図４は、同電気掃除機の制御ブロック図、図５は、同電気掃除機の風量推定の相関図、図６は、同電気掃除機の吸込−排気風量の相関図、図７は、同電気掃除機の吸込み風量とスライド板開度の相関図、図８は、同電気掃除機の手元操作部の設定とスライド板開度の相関図、図９は、同電気掃除機の床面検知の状態とスライド板開度の相関図である。
【００２８】
図１〜図４に示すように、本実施の形態における電気掃除機は、主として掃除機本体１と、被清掃面の塵埃を吸引する吸込み具２と、一端が掃除機本体１に着脱自在に接続されるホース３と、一端がホース３の他端に接続され、他端が吸込み具２に接続される伸縮自在或いは継ぎ自在の延長管４とから構成されている。
【００２９】
掃除機本体１内部には、電動送風機室５が設けられ（図２参照）吸引風を発生する電動送風機６が内蔵されている。
【００３０】
また掃除機本体１の、電動送風機６の上流側に集塵室７が設けられ、集塵室７には、着脱自在に配置され、吸込み具２から吸い込まれた塵埃を捕集するエレクトリック加工された集塵袋８が収納されている。集塵袋８は、ポリプロプレン等の熱可塑性繊維で形成されており、吸引風等で摩擦されることで帯電している。
【００３１】
掃除機本体１の後方下部の両側には、走行用の車輪９が回転自在に取付けられており、前方の底面には、同じく走行用のキャスター１０が取付けられている。
【００３２】
吸込み具２は、被清掃面の塵埃を掻き上げる回転ブラシ１１と、ベルト１２を介して回
転ブラシ１１を回転駆動させる整流子電動機１３とを内蔵している。整流子電動機１３は、電動機駆動部１４の位相制御手段１５により位相制御され可変速運転が行われる。
【００３３】
また回転ブラシ１１を駆動する整流子電動機１３の電流を検出する電流検出手段１６により、電流値の大きさに応じて床面の負荷状態を検出する床面検知手段１７を備えている。
【００３４】
また、電動送風機６は、整流子電動機２１と送風ファン２２により構成されており、電動送風機駆動部２３の位相制御手段２４により位相制御され可変速運転が行われている。
【００３５】
さらに、掃除機本体１は、電動送風機６や整流子電動機１３等を制御指令する制御部３０を備えている。
【００３６】
ホース３の延長管４側の端部には、手元操作部３１が設けられており、この手元操作部３１からの信号に基づき、制御部３０が、電動送風機６の各種の動作モード（「強」・「中」・「弱」の吸込み力や「停止」等）を制御している。
【００３７】
また、ホース３の掃除機本体１側の端部には、吸込み具２から吸い込まれた塵埃の量を検出する塵埃検出部３２が設けられている。塵埃検出部３２は、発光素子３２ａと受光素子３２ｂとから構成されており、発光素子３２ａと受光素子３２ｂとは対向して配置されている。
【００３８】
塵埃検出部３２は、発光素子３２ａと受光素子３２ｂとの間を塵埃が通過した際に、受光素子３２ｂによる受光が塵埃によって遮られることで生じるパルス波形を検出しており、このパルス波形によって塵埃の量を検出している。
【００３９】
制御部３０は、塵埃検出部３２で検出される塵埃量によっても、電動送風機６や回転ブラシ１１の動作を制御している。
【００４０】
また、図２に示すように、掃除機本体１の後方の上部、すなわち、電動送風機室５の上方には、電動送風機室５とは樹脂等で分離された静電霧化装置収納室４０が設けられている。この静電霧化装置収納室４０には、帯電微粒子水を発生させる静電霧化装置４１と、静電霧化装置４１を制御する静電霧化装置駆動部４２が内蔵されており、静電霧化装置収納室４０の後方には、帯電微粒子水放出口３７が設けられている。
【００４１】
電動送風機室５と静電霧化装置収納室４０とは、連通路５０によって連通されており、この連通路５０を通って、電動送風機６の排気風の一部（図中、矢印Ｙ）が静電霧化装置収納室４０内へと流入し、帯電微粒子水放出口３７から放出されるように構成されている。
【００４２】
また、掃除機本体１の後方には、電動送風機６の排気風を排出する排気口５３が設けられている。この排気口５３には、排出される排気風の風量を調節するスライド板５３ａが備えられており、スライド板５３ａは、スライド板開閉制御部５２を通して制御部３０の指令に基づき、電動モータ５３ｂ、ギア５３ｃを介してガイド５３ｄに沿って上下に動作し、排気口５３の開口面積を調整する。本実施の形態では、スライド板５３ａはすだれ形状で曲面でも自由に開閉できる。
【００４３】
また、連通路５０には、静電霧化装置収納室４０内に塵埃が進入しないようフィルター５４が設けられている。
【００４４】
また、電動送風機６の吸込み風量を検知する風量検知手段５５を備えている。風量検知手段５５は、電圧検出部５５ａにより電動送風機６の整流子電動機２１に印加される電圧を検知し、電流検出部５５ｂにより電動送風機６に流れる電流Ｉを検知し、位相制御する通電位相角から図５のように吸込み風量を推定するとともに、吸込み風量Ｑとの相関から図６のように連通路５０を流れる排気風量Ｇ２をも推定している。
【００４５】
図２及び図３に示すように、静電霧化装置４１は、ペルチェ素子６０と、ペルチェ素子６０の冷却側に接続された針状電極６１と、ペルチェ素子６０の放熱側に接続された放熱フィン６２と、針状電極６１の先端側に配置されたアース電極６３と、針状電極６１とアース電極６３との間に高電圧を印加する高電圧発生回路６４と、ペルチェ素子６０に電圧を印加する直流電源部６５とから構成されている。
【００４６】
針状電極６１及び放熱フィン６２は、ペルチェ素子６０と電気的には絶縁されているが、ペルチェ素子６０と温度伝達的には接続されている。ペルチェ素子６０に電圧が印加されると、ペルチェ素子６０の冷却側に接続された針状電極６１が冷却されるとともに、ペルチェ素子６０の放熱側に接続された放熱フィン６２によりペルチェ素子６０の放熱側で発生した熱が放熱される。
【００４７】
静電霧化装置駆動部４２は、制御部３０の指令により、静電霧化装置４１に電力を供給し動作させている。静電霧化装置４１に電力が供給されると、高電圧発生回路６４及び直流電源部６５に電力が供給され、針状電極６１、アース電極６３、及びペルチェ素子６０に電圧が印加される。
【００４８】
図４に示すように、制御部３０は、マイクロコンピュータなどで構成されており、制御部３０は、使用者が操作する手元操作部３１及び塵埃検出部３２からの信号を取り込み、その信号をもとに、電動機駆動部１４及び電動送風機駆動部２３を位相制御するための点弧パルスを出力する制御を行う。電動機駆動部１４及び電動送風機駆動部２３は、制御部３０からの信号に基づき、それぞれ整流子電動機１３及び電動送風機６を制御する。電動送風機駆動部２３は、双方向性サイリスタなどで構成されており、電動送風機６を位相制御し吸込み力を可変させる。
【００４９】
また制御部３０は、電動機駆動部１４に対して、手元操作部３１の設定や、床面検知手段１７から得られる床面の負荷状態や、電動送風機６の吸込み風量から回転ブラシ１１の通電位相角を変えている。例えば、手元操作部３１の設定、「強」、「中」、「弱」の順に通電位相角を小さくし、また、床面検知手段１７で負荷が小さい（電流値が小さい）ほど通電位相角を小さくするよう制御する。
【００５０】
以上のように構成された本実施の形態における電気掃除機について、以下その動作、作用を説明する。
【００５１】
例えば、使用者が手元操作部３１を操作して、電動送風機６の動作モードとして、吸引力の強い「強」を選択した場合、制御部３０は、手元操作部３１からの信号に基づき、電動送風機駆動部２３及び電動機駆動部１４に予め定められた信号を送り、電動送風機６及び整流子電動機１３を駆動させる。
【００５２】
これにより、被清掃面上の塵埃が回転ブラシ１１によって掻き上げられ、電動送風機６で発生された吸引風によって吸込み具２から吸引される。吸引された塵埃は、延長管４及びホース３を介して、掃除機本体１内の集塵袋８で捕集される。図２中、矢印Ｘで示すように、電動送風機６からの排気風は、掃除機本体１の後方に設けられた排気口５３から掃除機本体１の外部へ排気されるとともに、その一部は、図２中、矢印Ｙで示すように、連
通路５０を介して静電霧化装置収納室４０内へと流入し、帯電微粒子水放出口３７から放出される。
【００５３】
制御部３０は、電動送風機６及び整流子電動機１３を駆動させるのと同時に、静電霧化装置駆動部４２に信号を送り、静電霧化装置４１に電力を供給し、高電圧発生回路６４及び直流電源部６５を動作させる。直流電源部６５は、ペルチェ素子６０に電圧を印加し、針状電極６１を冷却する。
【００５４】
針状電極６１が冷却されると、針状電極６１の周辺の水分が結露して、針状電極６１上に水が生成される。このとき、針状電極６１とアース電極６３との間には、高電圧発生回路６４によって高電圧（例えば、約６０００Ｖ）が印加されているため、針状電極６１とアース電極６３との間でコロナ放電が発生し、針状電極６１上に生成された水に高電圧が印加され、帯電微粒子水（例えば、直径５ｍｍ〜２０ｍｍ）が生成される。
【００５５】
静電霧化装置４１によって生成された帯電微粒子水は、連通路５０を介して静電霧化装置収納室４０内へと流入した電動送風機６の排気風の一部によって、帯電微粒子水放出口３７から掃除機本体１の外部へと放出される。
【００５６】
ここで、絨毯など吸込み負荷が大きい場合を考えると、電動送風機６の吸引風が低下し、静電霧化装置収納室４０内に流入する排気風も低下するため、帯電微粒子水の拡散能力が低下し、室内に浮遊する微細な塵埃に対して、帯電微粒子水の質量を付加することにより、微細な塵埃や花粉等の床面への落下をより早くする沈降効果が低下する。
【００５７】
また、電極部周辺のオゾン濃度が極小的に高くなり樹脂の劣化が加速したり、さらに、風量が少ない状態でオゾンが空気中へ放出されると、オゾン濃度が高くなり使用者の呼吸器系統、眼、粘膜等へ刺激を与え、使用者に不快感を与えたりすることとなる。
【００５８】
そこで図７に示すよう、風量検知手段５５により、吸込み風量が低下したことを検知すると、排気口５３のスライド板５３ａを閉じる方向に動作させることにより、排出抵抗が大きくなり、連通路５０を介して静電霧化装置収納室４０へ流入する排気風量を多くすることができ、吸込み風量の少ない時でも帯電微粒子水を遠方へ放出することができるので、帯電微粒子水の拡散能力を向上させることができ、塵埃等の沈降効果を向上させることができる。
【００５９】
また、風量を増加することができることから、オゾン濃度が高くなるのを抑制することができ、使用者に不快感を与えることを防止することができる。
【００６０】
また、吸引力が標準の「中」を選択した場合、及び吸引力の低い「弱」を選択した場合についても、吸込み力の低下とともに、排気口５３のスライド板５３ａを閉じる方向に動作させることにより、上記同様吸込み風量の少ない時でも静電霧化装置収納室４０へ流入する排気風量を多くして、帯電微粒子水の拡散能力を向上させることができる。またオゾン濃度を抑制することができ、使用者に不快感を与えることを防止することができる。
【００６１】
また、手元操作部３１の設定においては、「強」、「中」、「弱」の順に吸込み風量が少なくなるため、図８に示すように、手元操作部３１の設定に準じて風量の少なくなる順に排気口５３のスライド板５３ａを閉じる方向に動作させることにより、少ない吸込み風量の時でも帯電微粒子水の拡散能力を向上させることができる。
【００６２】
また、床面検知手段１７の設定においては、整流子電動機１３の電流値により床面の負荷の状態を検知し負荷の重たい順に、「毛足の長い絨毯」、「毛足の短い絨毯」、「畳」
、「フローリング」、「離床」に大別される。床面の負荷が重たいほど、吸込み風量が減少すると考えられるので、床面検知手段１７の検知状態に応じて図９に示すように、排気口５３のスライド板５３ａを閉じる方向に動作させることにより、少ない吸込み風量の時でも、静電霧化装置収納室４０へ流入する排気風量を多くして、遠方へ帯電微粒子水を送ることができるので帯電微粒子水の拡散能力を向上させることができる。
【００６３】
また、吸込み具２の吸入抵抗が著しく大きくなった場合や、吸込み具２の吸込み口（図示せず）が塞がれた場合など極端に吸込み風量Ｑが低下した場合（図７中Ｐ点）において、電動送風機室５から連通路５０を通り静電霧化装置収納室４０に流入する排気風量が大幅に減少し、スライド板５３ａで絞っても、帯電微粒子水放出口３７から放出される風量が激減しているので帯電微粒子水の拡散効果がなくなってしまう。
【００６４】
また、オゾン濃度も増大傾向になるので、吸込み風量が一定値以下になると、制御部３０が静電霧化装置４１の帯電微粒子水の発生を控えることにより、帯電微粒子水の生成に付随して生じるオゾンの発生を抑制することができ、オゾン濃度の上昇を抑制し使用者への不快感を防止することができる。
【００６５】
さらに、静電霧化装置４１の発熱による周辺部品への変形等の影響を防止することができる。なお、上記スライド板５３ａは、排気口５３の排気抵抗を大きくするためのものであり、排気口５３の開口面積を変化できるものであれば、その形状・手段については特に問わない。
【００６６】
（実施の形態２）
図１０は、本発明の第２の実施の形態における電気掃除機の掃除機本体の断面図である。なお、上述した実施の形態１と重複する構成、部品については、同一符号を付与してその説明を省略する。
【００６７】
図１０において、本実施の形態における電気掃除機の掃除機本体７０の電動送風機室７１には、送風ファン７２ａと整流子電動機７２ｂで構成された電動送風機７２が内蔵されている。
【００６８】
静電霧化装置４１を収納する静電霧化装置収納室８０内前方上部には、外気を吸気する吸気口８１が設けられている。静電霧化装置収納室８０内に、静電霧化装置収納室８０と電動送風機室７１と連通する連通路８２を通して導入される電動送風機７２の排気風の一部は、ベンチュリー効果により吸気口８１から外気を吸引する。そして、静電霧化装置収納室８０内で外気と排気風の一部が混合され静電霧化装置４１で生成された帯電微粒子水を帯電微粒子水放出口８４より放出する。
【００６９】
吸気口８１には、外気フィルター８５が着脱自在に設けられており、外気を吸気する際に、吸気口８１から静電霧化装置収納室８０内に空気中の塵埃が侵入することを防止している。
【００７０】
以上のように本実施の形態においては、吸込み負荷が大きく電動送風機７２の排気量が少なくなり、静電霧化装置４１の発熱により排気温度が高温となり帯電微粒子水が生成されにくくなっても、外気を導入することにより静電霧化装置収納室８０内の温度を下げることができ、帯電微粒子水を安定して発生させることができる。
【００７１】
したがって、帯電微粒子水の生成を向上することができるとともに、帯電微粒子水放出口８４からの帯電微粒子水を含む風量も増大することができ塵埃等の沈降効果を向上させることができる。
【００７２】
また、オゾン濃度を抑制することができ、使用者に不快感を与えることを防止することができる。
【産業上の利用可能性】
【００７３】
以上のように、本発明にかかる電気掃除機は、帯電微粒子水の拡散能力の向上を図ることができ、またオゾン濃度の異常な上昇を抑制し使用者に不快感を与えることを防止することができる電気掃除機を提供することが可能となるため、帯電微粒子水を発生させる静電霧化装置を搭載した各種家庭用、業務用電気掃除機および、同様の方式でイオンを発生させる他の電気機器への応用展開にも有用である。
【符号の説明】
【００７４】
５、７１  電動送風機室
６、７２  電動送風機
１３、２１、７２ｂ  整流子電動機（電動機）
１７  床面検知手段
３１  手元操作部
３７、８４  帯電微粒子水放出口（放出口）
４１  静電霧化装置
４０、８０  静電霧化装置収納室
５０、８２  連通路
５２  スライド板開閉制御部
５３  排気口
５３ａ  スライド板
５５  風量検知手段
８１  吸気口
【図１】
2012249988.tif 000003
【図２】
2012249988.tif 000004
【図３】
2012249988.tif 000005
【図４】
2012249988.tif 000006
【図５】
2012249988.tif 000007
【図６】
2012249988.tif 000008
【図７】
2012249988.tif 000009
【図８】
2012249988.tif 000010
【図９】
2012249988.tif 000011
【図１０】
2012249988.tif 000012
【図１１】
2012249988.tif 000013
【図１２】
2012249988.tif 000014